(57)【要約】【課題】原稿画像読取が動作雰囲気変化に依存せず、高品質の撮像画像を読み取る画像読取装置の提供。【解決手段】第１相、第２相転送クロックが、各並列の二通信線からＣＣＤ駆動ドライバ３３にクロックＸＰＨ１−１、ＸＰＨ１−２、クロックＸＰＨ２−１、ＸＰＨ２−２として入力し、入力端子に各並列接続した駆動ドライバＩＣ１００ａ〜１００ｈから３ラインＣＣＤ１１に駆動信号として入力し、ＣＣＤ駆動ドライバ３３の入力容量減少で遅延時間が短縮し、雰囲気条件変化の遅延時間差が減少し、原稿画像から高品質撮像画像の読取が可能で、対の第１、第２転送クロックの共通駆動ドライバＩＣへのに入力で駆動ドライバＩＣ間の遅延差がなくロスポイントが確保可能で、最終転送クロック、リセットクロック、クランプクロックの共通駆動ドライバＩＣへの入力で、駆動ドライバＩＣ間の遅延差がなく適確リセットとクランプ領域の高精度確保が可能になる。【選択図】　　　　図３
2004104723.tif 000002
【特許請求の範囲】
【請求項１】
光照射される原稿画像からの反射光に基づき得られる前記原稿画像の光像信号を伝送する光学系と、
該光学系により伝送される前記光像信号が入射され、入射された光像信号を光電変換し、前記原稿画像の撮像信号として出力する光電変換手段と、
クロック信号を出力するタイミング信号発生手段と、
該タイミング信号発生手段からのクロック信号に基づき複数の駆動信号を作成し、作成した駆動信号を前記光電変換手段に供給する駆動信号供給手段と
を有し、前記原稿画像を光学的に読み取って前記撮像信号を出力する画像読取装置に対して、
前記タイミング信号発生手段から出力される同一タイミング及び同一位相のクロック信号を、並列配設される複数の信号線を介して駆動信号供給手段に転送する信号転送手段がさらに設けられていることを特徴とする画像読取装置。
【請求項２】
前記タイミング信号発生手段の内部バッファは、信号転送手段に入力される複数のクロック信号の入力容量に基づく遅延時間が、互いに等しくなるように選択されていることを特徴とする請求項１記載の画像読取装置。
【請求項３】
前記駆動信号供給手段によって光電変換手段に供給される駆動信号に含まれる第１相転送クロック信号及び第２相転送クロック信号が、同一のパッケージＩＣから光電変換手段にセットで供給されることを特徴とする請求項１または請求項２記載の画像読取装置。
【請求項４】
前記駆動信号供給手段によって光電変換手段に供給される駆動信号に含まれる最終段駆動信号、リセット信号及びクランプ信号が、同一のパッケージＩＣから光電変換手段に供給されることを特徴とする請求項３記載の画像読取装置。
【請求項５】
前記光電変換手段が３ラインカラーＣＣＤを含む複数ラインＣＣＤであることを特徴とする請求項２ないし請求項４の何れかに記載の画像読取装置。
【発明の詳細な説明】
【０００１】
【発明の属する技術分野】
本発明は、原稿画像を光学的に読取り、撮像信号を取得する画像読取装置に関する。
【０００２】
【従来の技術】
本発明の基礎となる従来の画像読取装置は、全体が図５に示すような概略構成となっており、同図に示す各構成素子は、図７に示すように筐体内に配設されており、オペレータが、操作表示部５を操作することにより、動作指令信号を入力すると、入力された動作指令信号は、操作表示部５に接続され、全体の動作を制御するシステム制御部４に入力される。そして、システム制御部４の指令によって、システム制御部４に接続された画像読取ユニット４６、複写機機構部４５、画像処理ユニット３４及び画像表示部３２が作動して原稿画像の読取動作が行なわれ、画像処理ユニット３４に接続された画像書込ユニット７０によって、読取画像の書込が行なわれる。
【０００３】
この場合、装置の筐体内上部の一端側に配設されている画像読取ユニット４６によつて、移送される原稿に対する照射光の走査が行なわれ、原稿画像からの反射光が、３ラインＣＣＤ（Ｃｈａｒｇｅ　Ｃｏｕｐｌｅｄ　Ｄｅｖｉｃｅ；電荷結合素子）に入射されて、原稿画像が光学的に読み取られ、原稿画像の光像信号が３ラインＣＣＤで光電変換されて撮像信号が取得される。
このようにして、取得された撮像信号は、画像読取ユニット４６に接続された画像処理ユニット３４に入力され、画像処理ユニット３４において、スキャナγ補正、色変換、主走査変倍、画像分離、画像加工、エリア処理、諧調補正処理などの画像処理が行なわれる。そして、画像処理が施されて得られる撮像データは、画像処理ユニツト３４に接続された画像書込ユニット７０に入力され、画像データに応じてドラムユニット７２の露光を行なうＬＤ（レーザダイオード）の駆動信号レベルに対応する変調が施される。
【０００４】
そして、装置の筐体内のほぼ中央位置に配設されるドラムユニット７２では、一様に帯電されて回転される感光体ドラムに、ＬＤからのレーザビームにより原稿画像の静電潜像の露光形成が行なわれ、感光体ドラムの周面に対向して配置された現像部７４によって、原稿画像の静電潜像にトナーが付着され、感光体ドラムに原稿画像の顕像が形成される。
このようにして感光体ドラムに形成された原稿画像の顕像は、中間転写体部７１の中間転写ベルトに再転写され、中間転写ベルト上において、Ｂｋ（Ｂｒａｃｋ）、Ｃ（Ｃｙａｎ）、Ｍ（Ｍａｇｅｎｔａ）、Ｙ（Ｙｅｌｌｏｗ）　の４色の　トナーが順次重畳配設されることにより、中間転写ベルトには原稿画像のフルカラーの撮像画像が形成される。
そして、中間転写ベルトへの原稿画像のフルカラーの撮像画像の形成工程が終了した時点で、中間転写ベルトの移送とタイミングを一致させて、給紙部７５より転写紙が給紙され、給紙される転写紙に対して、中間転写ベルトからフルカラーの撮像画像が転写され、原稿画像の撮像画像が転写された転写紙が、定着部７３に搬送され、定着ローラと加圧ローラによって熱定着が行なわれ、排紙された転写紙に最終的に原稿画像のフルカラー撮像画像が形成される。
【０００５】
この場合、オペレータが、操作表示部５から原稿画像の撮像画像の表示指令信号を入力すると、システム制御部４の指令によって、画像読取ユニット４６が読み取った原稿画像の撮像データが、画像読取ユニット４６に接続された画像処理ユニット３４に１頁分転送され、画像処理ユニット３４によって、表示に必要な画像処理が施された後に、撮像データは画像表示部３２に転送される。
ここで、画像表示部３２は、図６に示すような構成となっていて、画像処理ユニット３４からの撮像データは、画像データインタフェース５３から、画像データインタフェース５３に接続され、ラインバッファからなるＦＩＦＯ（Ｆｉｒｓｔ−Ｉｎ　Ｆｉｒｓｔ−Ｏｕｔ）回路５５に入力される。そして、ＦＩＦＯ回路５５に接続されたＣＰＵ５７の指令によって、撮像データはＦＩＦＯ回路５５に接続されたＤＲＡＭ（Ｄｙｎａｍｉｃ　Ｒａｎｄｏｍ　Ａｃｃｅｓｓ　Ｍｅｍｏｒｙ）５６に入力される。
【０００６】
このＣＰＵ５７には、シリアルインタフェース５２を介してシステム制御部４が接続され、また、ＣＰＵ５７には、ＳＲＡＭ（Ｓｔａｔｉｃ　Ｒａｎｄｏｍ　Ａｃｃｅｓｓ　Ｍｅｍｏｒｙ）５１、ＲＯＭ５０、ＶＲＡＭ（Ｖｉｄｅｏ　Ｒａｎｄｏｍ　Ａｃｃｅｓｓ　Ｍｅｍｏｒｙ）４７、ＬＣＤコントローラ４８及びオペレータが操作するキーボード５４が接続されている。
このようにして、画像表示部３２には、画像データと共に画像データ制御信号も転送されるので、必要な場合は、ＣＰＵ５７の指令によって、画像データ制御信号に基づいて、ＤＲＡＭ５６に格納された画像データに対して、拡大、縮小、間引き、有効画像領域の抽出などの画像処理が行なわれ、画像処理が施された画像データが、ＶＲＡＭ４７に転送格納され、次いで読み出されて、ＶＲＡＭ４７に接続されたＬＣＤコントローラ４８の制御によって、液晶ディスプレイＬＣＤに表示される。
【０００７】
一方、画像表示部３２の外観構成を説明すると、図８に示すように、画像表示部３２の筐体正面のほぼ中央部にＬＣＤが配設され、ＬＣＤの周縁部にはスケール表示８９が設けられ、筐体正面のＬＣＤの下方には、図６のキーボード５４が対応して配設されており、ここには、読取キー９６、全体表示キー９７、１５０％拡大キー９５ａ、２００％拡大キー９５ｂ、３００％拡大キー９５ｃ、画面移動キー９４、カーソルキー９３、点指定キー９０ａ、エリア指定キー９０ｂ、クリアキー９０ｃ、オールクリアキー９１が設けられ、筐体正面近傍の下面には、明度調整つまみ９８とコントラスト調整つまみ９９が設けられている。
また、操作表示部５の外観構成は、図１０に示すようになっていて、コピー枚数などの数値入力を行なうテンキー７６、押圧により設定したモードの取り消しを行い、所定時間以上の連続押圧により予熱設定を行なうモードクリア／予熱キー７７、割り込みコピー時に操作される割り込みキー７９、画質調整キー７８、高頻度モードの登録・呼び出しを行なうプログラムキー８０、プリントスタートキー８１、クリア／ストップキー８２、エリア加工キー８３、初期設定キー８６、輝度調整つまみ８４が配設されており、液晶ディスプレイ５Ａにはタッチパネルキー８５が埋め込まれている。
【０００８】
ここで、液晶ディスプレイ５Ａの表示画面の一例を図１２を参照して説明すると、この表示画面上にはカラーモード、自動濃度モード、マニアル濃度モード、画質モード、自動用紙選択モード、用紙トレイ選択モード、用紙自動変倍モード、等倍モード、ソートモード、スタックモードの選択表示画像が表示され、さらに、クリエイト、カラー加工、両面、変倍などのサブ選択表示画像が表示されているが、それぞれの表示と同一サイズのキーを備えたタッチパネルが表示画面上に配設されている。
図１２に表示された液晶ディスプレイ５Ａの表示画面の変倍キーを押圧すると、図１３に示す変倍設定画面が表示され、この変倍設定画面には、定型変倍キーが設けられており、例えば７１％変倍のタッチパネルキーを押圧すると、変倍率７１％が選択される。また、変倍設定画面には、定型変倍以外の変倍モードを選択するズームキー、寸法変倍キー、独立変倍／拡大連写キーが設けられている。
【０００９】
図１４は図１０の液晶ディスプレイのタッチパネルの押下位置検出回路の構成を示す説明図であり、図１５は図１４の信号設定動作を示す説明図である。
図１４でＹ１、Ｙ２の回路は抵抗でプルアップされており、タッチパネルがＯＦＦ状態ではＹ１は＋５Ｖとなり、タッチパネルがＯＮ状態ではＹ１は０Ｖとなる。
このＹ１の電位によって、ＡＤコンバータ８７が、タッチパネルがＯＮ状態にあるか、あるいはＯＦＦ状態にあるかを判定し、コントローラ８８に判定信号を出力する。コントローラ８８は、ＡＤコンバータ８７からの判定信号に基づいて、タッチパネルがＯＮ状態にあると検出すると、モードを検出モードから測定モードに切り換え、Ｘ方向の座標の測定の場合は、Ｘ１が５ＶでＸ２が０Ｖとなるので、入力位置の座標を示す電位がＹ１を介して、ＡＤコンバータ８７に入力され座標が算出される。同様にして、Ｙ方向の座標が回路を切り換えて行なわれ、タッチパネルの押下位置が検出される。
【００１０】
図１１は図５の操作表示部５の構成を示すブロック図であり、全体の動作を制御するＣＰＵ６０にアドレスラッチ回路５９が接続され、ＣＰＵ６０からのアドレス信号はアドレスラッチ回路５９に取り込まれる。アドレスラッチ回路５９には、アドレスデコーダ５８、ＬＣＤコントローラ６７、ＲＯＭ６２が接続され、ＬＣＤコントローラ６７には、ＲＯＭ６８、ＲＡＭ６９、キーボード６４、タッチパネル６５、及びＬＣＤモジュール６６が接続され、ＬＣＤモジュール６６には液晶ディスプレイ５Ａが接続され、アドレスデコーダ５８には、ＬＣＤコントローラ６７とＬＥＤドライバ６３が接続され、ＬＥＤドライバ６３にはキーボード６４が接続されている。
【００１１】
ＣＰＵ６０の指令によって、アドレス信号の一部がアドレスラツチ回路５９からアドレスデコーダ５８に転送され、アドレスデコーダ５８で各ＩＣへのチップセレクト信号が作成され、メモリマップの作成に使用される。また、アドレス信号はＬＤＣコントローラ６７に転送されて、ＲＯＭ６８、ＲＡＭ６９でのアドレス指定に使用される。
このようにして、操作表示部５では、ＬＣＤコントローラ６７によって、キーボード６４からの入力信号やタッチパネル６５からの入力信号に基づいて、ＲＯＭ６８とＲＡＭ６９の格納データを使用して表示データが作成され、作成された表示データはＬＣＤモジュール６６に入力され、ＬＣＤモジュール６６の制御によつて、液晶ディスプレイ５Ａに表示データが表示される。
【００１２】
【発明が解決しようとする課題】
ところで、以上に説明した本発明の基礎となり、特開平１１−１７７７８３号公報に原理が開示されている画像読取装置では、図９に示すように、図示せぬＣＣＤクロック発生回路からのクロックが入力され、３ラインＣＣＤ１１に、入力クロックに基づいて作成した第１相転送信号、第２相転送信号、最終段転送信号、リセット信号、クランプ信号及びシフトゲート信号を駆動信号としてを供給するＣＣＤ駆動ドライバ３３Ａが設けられている。このＣＣＤ駆動ドライバ３３Ａには、駆動ドライバＩＣ１００ａ〜１００ｉが設けられている。
この場合、ＣＣＤクロック発生回路からの第１相転送クロックＸＰＨ１は、入力端子ｔ１からＣＣＤ駆動ドライバ３３Ａに入力され、ＣＣＤ駆動ドライバ３３Ａ内において、入力端子ｔ１に並列に接続される４個の駆動ドライバＩＣ１００ａ〜１００ｄにそれぞれ入力される。そして、各駆動ドライバＩＣ１００ａ〜１００ｄにより第１相転送信号がそれぞれ作成され、得られる第１相転送信号は、各駆動ドライバＩＣの２個の出力端子から、３ラインＣＣＤ１１に各駆動ドライバＩＣに対応して設けられる２個の入力端子ｔ１Ａを介してＣＣＤ駆動ドライバ３３Ａに入力される。
【００１３】
同様にして、ＣＣＤクロック発生回路からの第２相転送クロックＸＰＨ１は、入力端子ｔ２からＣＣＤ駆動ドライバ３３Ａに入力され、ＣＣＤ駆動ドライバ３３Ａ内において、入力端子ｔ２に並列に接続される４個の駆動ドライバＩＣ１００ｅ〜１００ｈにそれぞれ入力される。そして、各駆動ドライバＩＣ１００ｅ〜１００ｈにより第２相転送信号がそれぞれ作成され、得られる第２相転送信号は、各駆動ドライバＩＣの２個の出力端子から、３ラインＣＣＤ１１に各駆動ドライバＩＣに対応して設けられる２個の入力端子ｔ２Ａを介してＣＣＤ駆動ドライバ３３Ａに入力される。
【００１４】
この場合、入力端子ｔ１に接続される駆動ドライバＩＣ１００ａ〜１００ｄのそれぞれ４個の入力端子の入力容量を最大値で１０ｐＦとし、入力端子ｔ１とアース間に接続される波形整形とタイミング微調整のためのコンデンサＣ１の容量を４７ｐＦとして、入力端子ｔ１から見たＣＣＤ駆動ドライバ３３Ａの入力容量は、最大値では１０ｐＦ×１６＋４７ｐＦ＝２０７ｐＦとなり、最大入力容量値かなり大きな値になる。
【００１５】
この種の画像読取装置では、前述したような３ラインＣＣＤ１１を駆動するＣＣＤ駆動ドライバ３３Ａの入力容量が大きいと、動作時の遅延時間が増加し、動作雰囲気条件が変化すると、遅延時間がばらつき変化して安定したクロスポイントを確保することができなくなり、３ラインＣＣＤ１１から高品質の撮像信号を出力することができなくなる。
【００１６】
本発明は、前述したようなこの種の画像読取装置の動作の現状に鑑みてなされたものであり、その目的は、原稿画像の読取りに際して、動作雰囲気条件の変化に左右されずに、原稿画像から常に高品質の撮像画像を読取り出力する画像読取装置を提供することにある。
【００１７】
【課題を解決するための手段】
前記目的を達成するために、請求項１記載の発明は、光照射される原稿画像からの反射光に基づき得られる前記原稿画像の光像信号を伝送する光学系と、該光学系により伝送される前記光像信号が入射され、入射された光像信号を光電変換し、前記原稿画像の撮像信号として出力する光電変換手段と、クロック信号を出力するタイミング信号発生手段と、該タイミング信号発生手段からのクロック信号に基づき複数の駆動信号を作成し、作成した駆動信号を前記光電変換手段に供給する駆動信号供給手段とを有し、前記原稿画像を光学的に読み取って前記撮像信号を出力する画像読取装置に対して、前記タイミング信号発生手段から出力される同一タイミング及び同一位相のクロック信号を、並列配設される複数の信号線を介して駆動信号供給手段に転送する信号転送手段がさらに設けられていることを特徴とする画像読取装置である。
【００１８】
このような手段によると、光照射される原稿画像からの反射光に基づき得られる原稿画像の光像信号が光学系によって伝送され、光電変換手段に入射され光電変換されることにより、原稿画像の撮像信号が光電変換手段から出力される過程において、タイミング信号発生手段から出力されるクロック信号に基づき、駆動信号供給手段によって複数の駆動信号が作成され、作成された駆動信号の光電変換手段への供給によって、原稿画像が光学的に読み取られ撮像信号が取得出力される。
この場合、信号転送手段によって、タイミング信号発生手段から出力される同一タイミング及び同一位相のクロック信号は、並列配設される複数の信号線を介して駆動信号供給手段に転送されるので、駆動信号供給手段の入力容量は、信号線の数ｎ（ｎ＝２、３、４・・・）に応じて１／ｎに減少し、駆動信号の動作時の遅延時間が低減し、動作雰囲気条件の変化による遅延時間のばらつきも減少し、雰囲気温度などが変化しても安定したクロスポイントを確保して、常に、安定した動作条件により、原稿画像に対して高品質の撮像信号を適確且つ迅速に読取り取得する。
【００１９】
同様に前記目的を達成するために、請求項２記載の発明は、請求項１記載の発明において、前記タイミング信号発生手段の内部バッファは、信号転送手段に入力される複数のクロック信号の入力容量に基づく遅延時間が、互いに等しくなるように選択されていることを特徴とするものである。
【００２０】
このような手段によると、タイミング信号発生手段の内部バッファを、信号転送手段に入力される複数のクロック信号の入力容量に基づく遅延時間が、互いに等しくなるように選択することによって、駆動信号供給手段に入力するクロック信号のタイミングや位相ずれを最小限に抑えて、請求項１記載の発明での作用が実行される。
【００２１】
同様に前記目的を達成するために、請求項３記載の発明は、請求項１または請求項２記載の発明において、前記駆動信号供給手段によって光電変換手段に供給される駆動信号に含まれる第１相転送クロック信号及び第２相転送クロック信号が、同一のパッケージＩＣから光電変換手段にセットで供給されることを特徴とするものである。
【００２２】
このような手段によると、請求項１または請求項２記載の発明での作用に加えて、駆動信号供給手段によって光電変換手段に供給される駆動信号に含まれる第１相転送クロック信号及び第２相転送クロック信号が、同一のパッケージＩＣから光電変換手段にセットで供給されるので、これらのクロック信号のパッケージＩＣ間の特性のばらつきによる遅延差の影響を避けて、クロスポイントを確実に確保し高品質の撮像信号が取得される。
【００２３】
同様に前記目的を達成するために、請求項４記載の発明は、請求項３記載の発明において、前記駆動信号供給手段によって光電変換手段に供給される駆動信号に含まれる最終段駆動信号、リセット信号及びクランプ信号が、同一のパッケージＩＣから光電変換手段に供給されることを特徴とするものである。
【００２４】
このような手段によると、請求項３記載の発明での作用に加えて、駆動信号供給手段によって光電変換手段に供給される駆動信号に含まれる最終段駆動信号、リセット信号及びクランプ信号が、同一のパッケージＩＣから光電変換手段に供給されるので、これらの信号のパッケージＩＣ間の特性のばらつきによる遅延差の影響を避けて、高精度のリセット動作と一定クランプ領域の確保とが行なわれる。
【００２５】
同様に前記目的を達成するために、請求項５記載の発明は、請求項１ないし請求項４の何れかに記載の発明において、前記光電変換手段が３ラインカラーＣＣＤを含む複数ラインＣＣＤであることを特徴とするものである。
【００２６】
このような手段によると、請求項１ないし請求項４の何れかに記載の発明での作用に加えて、光電変換手段が３ラインカラーＣＣＤを含む複数ラインＣＣＤなので、光学系を小型化し焦点深度を高めることにより、原稿浮きや或る程度の立体配置に対応して、焦点ぼけのない読取りが行なわれると共に、信号転送手段によって、全体の構成の複雑化が避けられ、クロスポイントのばらつき、リセット信号及びクランプ信号のばらつきの絡み合いによる読取画像の品質低下が防止される。
【００２７】
【発明の実施の形態】
以下に本発明の一実施の形態を、図１ないし図４を参照して説明する。
図１は本実施の形態の全体構成を示すブロック図、図２は本実施の形態の要部の構成を示すブロック図、図３は本実施の形態のＣＣＤ駆動ドライバの構成を示す説明図、図４は本実施の形態のＣＤクロック発生回路のバッフアと遅延時間の関係を示す説明図である。
【００２８】
本実施の形態では、図１に示すように、全体の動作を制御するＣＰＵ１に、ＲＯＭ２、ＲＡＭ３、操作表示部５に接続されるシステム制御部４、パルスモータ８に接続されるモータドライバ７、ハロゲンランプ１０に接続されるランプレギュレータ９、及びインタフェース回路６が接続されており、ＣＰＵ１は、操作表示部５からのユーザの指令信号に基づき、ＲＯＭ２から読み出されるプログラムに従って全体の制御動作を行なう。
インタフェース回路６には、原稿検知センサ、ホームポジションセンサ、圧板開閉センサ、冷却ファンなどが接続されており、ＣＰＵ１はインタフェース回路６を介して、これらのセンサや冷却ファンの動作を検知し、動作指令に従ってこれらのＯＮ−ＯＦＦ動作を制御する。また、ＣＰＵ１の指令によつて、モータドライバ７によりパルスモータ８が回転制御され、原稿画像の読取りが行なわれる原稿の駆動走査が行なわれる。
【００２９】
この場合、駆動走査される原稿に対して、ランプレギュレータ９により、発光制御されるハロゲンランプ１０からの照射光が入射され、原稿画像からの反射光が、複数のミラーとレンズを通過し、３ラインＣＣＤ１１に原稿画像の光像として結像され、タイミング回路１２からのクロックに基づいて、ＣＣＤ駆動ドライバ３３によつて、第１相転送信号、第２相転送信号、最終段転送信号、リセット信号、クランプ信号及びシフトゲート信号が駆動信号として作成され、作成された駆動信号が、ＣＣＤ駆動ドライバ３３から３ラインＣＣＤ１１に供給される。
【００３０】
３ラインＣＣＤ１１では、ＣＣＤ駆動ドライバ３３からの駆動信号によって、それぞれのＲＧＢの奇数（ｏｄｄ）ラインと偶数（ｅｖｅｎ）ラインのアナログ撮像信号が読み取られ、３ラインＣＣＤ１１に接続されたエミッタホロワ１３、１４、１５に入力される。
エミッタホロワ１３、１４、１５には、アナログ処理回路１６、１７、１８がそれぞれ接続され、エミッタホロワ１３、１４、１５の出力信号に対して、アナログ処理回路１６、１７、１８において、ＣＤＳ処理により雑音抑制が行なわれ、さらに、ＣＣＤ１１のオプティカルブラック部でのラインクランプにより、奇数ラインと偶数ラインの出力差が補正され、ゲイン調整が行なわれた後にマルチプレクサで合成され、ＤＣレベルのオフセット調整後に、アナログ処理回路１６、１７、１８にそれぞれ接続されたＡＤコンバータ１９、２０、２１に入力される。
【００３１】
ＡＤコンバータ１９、２０、２１では、アナログ処理回路１６、１７、１８の出力信号がＡＤ変換され、ＡＤコンバータ１９、２０、２１に接続されたシェーディング補正回路２２に入力され、ＡＤコンバータ１９、２０、２１の出力信号に対して、照明系の光量不均一と３ラインＣＣＤ１１の画素出力のばらつきとの補正が行なわれる。シェーディング補正回路２２には、ライン間補正メモリ２３、２４が接続され、シェーディング補正された画像データは、ライン間メモリにおいて、３ラインＣＣＤ１１のＢとＧ、ＢとＲのライン数の画像データが遅延処理され、ＲＧＢの読取画像の１ライン以上の位置合せが行なわれる。
【００３２】
次いで、ライン間補正メモリ２３、２４とシェーディング補正回路２２とに接続されたドット補正回路２５において、ライン間補正メモリ２３、２４から出力される画像データを、ＲＧＢデータの１ライン以内でのドットずれの補正が行なわれる。このようにして、ドットずれの補正が行なわれた画像データは、ドット補正回路２５に接続されたスキャナγ補正回路２６において、ルックアップテーブル方式で、反射率リニアデータの補正が行なわれる。
スキャナγ補正回路２６で、反射率リニアデータが補正された画像データは、スキャナγ補正回路２６に互いに並列に接続されているディレイメモリ２７、自動原稿色判定回路２８、自動画像分離回路２９にそれぞれ入力される。
【００３３】
自動原稿色判定回路２８では、黒及び灰色の判定を行なう有彩／無彩判定（ＡＣＳ判定）が行なわれ、自動画像分離回路２９では、白画素と黒画素の連続性に基づくエッジ判定、画像中のの山／谷ピーク画素の繰り返しパターンに基づく網点判定、文字・網点外の画像データの存在に基づく写真判定により文字部、印刷（網点）部、及び写真部の領域判定が行なわれる。
ディレイメモリ２７、自動原稿色判定回路２８及び自動画像分離回路２９の出力端子が表示画像データ処理ユニット３０に接続され、表示画像データ処理ユニット３０の出力端子には、画像表示部３２とプリント画像データ処理ユニット３１が接続され、ＣＰＵ１が、アナログ処理回路１６、１７、１８、シェーディング補正回路２２、ドット補正回路２５、スキャナγ補正回路２６、自動原稿色判定回路２８、自動画像分離回路２９、ディレイメモリ２７、表示画像データ処理ユニット３０及びプリント画像データ処理ユニット３１にも接続されている。
【００３４】
また、ディレイメモリ２７から画像データが入力される表示画像データ処理ユニット３０には、ＲＢＧフィルタ、色変換部、変倍処理部、クリエイト部が設けられ、ＣＰＵ１の指令によって、ＲＢＧフィルタに対してＭＴＦ補正、平滑化、エッジ強調、スルーに対応するフィルタ係数が、自動画像分離回路２９の領域判定結果に基づき切換設定される。
さらに、表示画像データ処理ユニット３０では、色変換部によって、ＲＢＧ表示の画像データがＹＭＣＫ変換されることにより、ＹＭＣＫ表示の画像データが作成され、画像データに対して、ＵＣＲ（Ｕｎｄｅｒ　Ｃｏｌｏｕｒ　Ｒｅｍｏｖａｌ；下部網点除去）処理やＵＣＡ（Ｕｎｄｅｒ　Ｃｏｌｏｕｒ　Ａｄｄｉｔｉｏｎ；下部網点付加）処理が施され、次いで、変倍処理部によって、画像データに対して拡大／縮小処理が実行される。
そして、表示画像データ処理ユニット３０では、クリエイト部によって、斜体処理、ミラー処理、影付処理、中抜処理などのクリエイト編集と、カラー変換、指定色消去、アンダーカラー処理などのカラー加工とが行なわれる。
【００３５】
このようにして、表示画像データ処理ユニット３０での画像処理が終了した表示画像データは、プリント画像データ処理ユニット３１に入力されるが、走査表示部５からのオペレータの表示信号の入力に基づくＣＰＵ１の指令によって、画像表示部３２に表示される。
プリント画像データ処理ユニット３１には、ＹＭＣＫフィルタ、γ変換部、階処理部、ビデオコントロール部が設けられ、入力される表示画像データに対して、自動画像分離回路２９の領域判定結果に基づき、ＹＭＣＫフィルタの係数設定が行なわれ、γ変換部によってプリント時のγ変換が行なわれ、階調処理部によってディザ処理が行なわれ、ビデオコントロール部によって、書込タイミングの設定、画像領域、白抜き領域の設定、テストパターンの発生が行なわれる。
そして、このようなプリント画像データ処理が終了したプリント画像データは、ＣＰＵ１の指令によってＬＤ（レーザダイオード）に出力される。
【００３６】
ところで、本実施の形態には、図２に詳細構成を示すように、３ラインＣＣＤ１１に駆動信号を供給するＣＣＤ駆動ドライバ３３に対して、パルス信号を入力するタイミング回路１２が設けられ、このタイミング回路１２においては、位相周波数検出器４２、チャージポンプ４３、電圧制御オッシレータ４４及び分周器４１を構成素子とし、発信器Ｇからのパルスが入力されるＰＬＬ回路４０が設けられ、分周器４１には、ＣＰＵ１にバスＢを介して接続されたバスインタフェース３７に接続されるレジスタ設定部３８が接続されている。
このような構成のＰＬＬ回路４０の電圧制御オッシレータ４４の出力端子がＣＣＤクロック発生回路３６に接続され、このＣＣＤクロック発生回路３６に基準クロックを発生するクロック発生回路３５が接続されている。
【００３７】
本実施の形態では、ＰＬＬ回路４０からは、分周器４１が動作設定されることにより、発信器Ｇからのクロックの４逓倍クロックが出力され、このクロックがＣＣＤクロック発生回路３６に入力され、ＣＣＤクロック発生回路３６からは、タイミングと位相が同一の第１相転送クロックＸＰＨ１−１、ＸＰＨ１−２、同様にタイミングと位相が同一の第２相転送クロツクＸＰＨ２−１、ＸＰＨ２−２、最終段転送クロックＸＰＨ２Ｂ、リセットクロックＸＲＳ、クランプクロックＸＣＰ及びシフトゲートクロックＸＳＨが出力されて、ＣＣＤ駆動ドライバ３３に入力される。
ＣＣＤ駆動ドライバ３３では、第１相転送クロックＸＰＨ１−１、ＸＰＨ１−２、第２相転送クロツクＸＰＨ２−１、ＸＰＨ２−２、最終段転送クロックＸＰＨ２Ｂ、リセットクロックＸＲＳ、クランプクロックＸＣＰ及びシフトゲートクロックＸＳＨに基づいて、３ラインＣＣＤ１１を駆動する第１相転送駆動信号ＰＨ１、第２相転送駆動信号ＰＨ２、最終段転送駆動信号ＰＨ２Ｂ、リセット駆動信号ＲＳ、クランプ駆動信号ＣＰ、シフトゲート駆動信号ＳＨが作成され、これらの駆動信号が３ラインＣＣＤ１１に入力される。
【００３８】
ＣＣＤ駆動ドライバ３３には、図３に示すように、９個の駆動ドライバＩＣ１００ａ〜１００ｉが設けられ、入力端子ｔ１ａに駆動ドライバＩＣ１００ａ〜１００ｄが互いに並列に接続され、同様に入力端子ｔ１ｂに駆動ドライバＩＣ１００ａ〜１００ｄが互いに並列に接続されている。また、入力端子ｔ２ａに駆動ドライバＩＣ１００ｅ〜１００ｈが互いに並列に接続され、同様に入力端子ｔ２ｂに駆動ドライバＩＣ１００ｅ〜１００ｈが互いに並列に接続されている。
【００３９】
この場合、入力端子ｔ１ａに接続される駆動ドライバＩＣ１００ａ〜１００ｄ　のそれぞれ２個の入力端子の入力容量を最大値で１０ｐＦとし、入力端子ｔ１ａとアース間に接続される波形整形とタイミング微調整のためのコンデンサＣ１の容量を４７ｐＦとして、入力端子ｔ１ａから見たＣＣＤ駆動ドライバ３３の入力容量は、最大値で１０ｐＦ×８＋４７ｐＦ＝１２７ｐＦとなり、入力端子ｔ１ｂ、ｔ２ａ、ｔ２ｂについても、最大で同様な入力容量１２７ｐｆが得られる。
また、駆動ドライバＩＣ１００ｉの各入力端子の入力容量を最大値で１０ｐＦとし、各入力端子とアース間に接続される波形整形とタイミング微調整のためのコンデンサＣ２の容量を２２ｐＦとして、入力端子ｔ３〜ｔ６の入力容量は、最大値で１０ｐＦ＋２２ｐＦ＝３２ｐＦとなる。
【００４０】
第１相転送クロックＸＰＨ１−１、ＸＰＨ１−２、第２相転送クロツクＸＰＨ２−１、ＸＰＨ２−２が入力される入力端子ｔ１ａ、ｔ１ｂ、ｔ２ａ、ｔ２ｂの入力容量１２７ｐＦは、すでに図９を参照して説明した第１相転送クロックＸＰＨ１、第２相転送クロックＸＰＨ２が入力される従来装置の入力端子ｔ１、ｔ２の入力容量２０７ｐＦに比して、充分に小さく、遅延時間が短縮され、雰囲気条件の変化による遅延時間のばらつきも小さくなる。
図４では、遅延時間が電源電圧及び雰囲気温度を配慮して、Ｍｉｎ、Ｔｙｐ、Ｍａｘの３条件に区分されているが、本実施の形態ではバッファ１２Ｆが使用された場合には、第１相転送クロックＸＰＨ１と第２相転送クロックＸＰＨ２とを、それぞれ並列配設された２本の通信線を介して、ＣＣＤ駆動ドライバ３３に入力した場合には、最大入力容量は１２７ｐＦとなり、従来のように第１相転送クロックＸＰＨ１と第２相転送クロックＸＰＨ２とを、それぞれ１本の通信線を介して、ＣＣＤ駆動ドライバ３３に入力した場合には、前述のように最大入力容量は２０７ｐＦになる。
【００４１】
同図から、本実施の形態によると、ＣＣＤ駆動ドライバ３３の入力容量を減少させて、動作の遅延時間を短縮することが可能になると共に、動作雰囲気条件の変化による遅延時間のばらつきを小さくすることも可能になることが明らかであり、特に、バッファ８Ｆを選択使用すると、動作雰囲気条件に左右されずに、第１相転送クロックＸＰＨ１−１、ＸＰＨ１−２、第２相転送クロツクＸＰＨ２−１、ＸＰＨ２−２と、最終段転送クロックＸＰＨ２Ｂ、リセットクロックＸＲＳ、クランプクロックＸＣＰ間のスキューを最小限に抑えることが可能なことが明らかである。
【００４２】
また、本実施の形態では、対になる第１相転送クロックと第２相転送クロックを、同一の駆動ドライバＩＣに入力させているので、駆動ドライバＩＣ間の遅延ばらつきがなくなり、第１相転送クロックと第２相転送クロックのクロスポイントを確保することが可能で、最終転送クロック、リセットクロック、クランプクロックを、同一の駆動ドライバＩＣに入力させているので、駆動ドライバＩＣ間の遅延ばらつきがなくなり、適確なリセット動作と高精度のクランプ領域の確保が可能になる。
【００４３】
このように、本実施の形態によると、ＣＣＤクロック発生回路３６から出力される第１相転送クロックと第２相転送クロックは、それぞれ並列配設定された２本の通信線を介して、ＣＣＤ駆動ドライバ３３に、入力端子ｔ１ａ、ｔ１ｂ、ｔ２ａ、ｔ２ｂから、第１相転送クロックＸＰＨ１−１、ＸＰＨ１−２、第２相転送クロックＸＰＨ２−１、ＸＰＨ２−２として入力され、入力端子ｔ１ａ、ｔ１ｂ、ｔ２ａ、ｔ２ｂにそれぞれ並列に接続される駆動ドライバＩＣ１００ａ〜１００ｈを介して、３ラインＣＣＤ１１に駆動信号として入力される。
このために、ＣＣＤ駆動ドライバ３３の入力容量が通信線の数に応じて減少し、動作の遅延時間が短縮されると共に、動作雰囲気条件の変化による遅延時間のばらつきが小さくなり、動作雰囲気条件に左右されずに、原稿画像から常に高品質の撮像画像を読み取ることが可能になる。
また、本実施の形態では、対になる第１相転送クロックと第２相転送クロックが、同一の駆動ドライバＩＣに入力され、駆動ドライバＩＣ間の遅延ばらつきを避けて、第１相転送クロックと第２相転送クロックのクロスポイントが確保可能になると共に、最終転送クロック、リセットクロック、クランプクロックが、同一の駆動ドライバＩＣに入力され、駆動ドライバＩＣ間の遅延ばらつきを避けて、適確なリセット動作と高精度のクランプ領域の確保とが可能になる。
【００４４】
以上に説明した実施の形態においては、ＣＣＤ駆動ドライバが６回路を含む駆動ドライバＩＣ（ＡＣＴＯ４）で構成される場合を説明したが、本発明はこの実施の形態に限定されるものではなく、そそし駆動ドライバを８回路を含む駆動ドライバＩＣ（ＬＶ２４４）で構成することも可能である。
【００４５】
【発明の効果】
請求項１記載の発明によると、光照射される原稿画像からの反射光に基づき得られる原稿画像の光像信号が、光学系によって伝送されて光電変換手段に入射され、光電変換されることにより原稿画像の撮像信号が光電変換手段から出力される過程において、タイミング信号発生手段から出力されるクロック信号に基づき、駆動信号供給手段によって複数の駆動信号が作成され、作成された駆動信号の光電変換手段への供給によって、原稿画像が光学的に読み取られ撮像信号が取得出力される。
この場合、信号転送手段によって、タイミング信号発生手段から出力される同一タイミング及び同一位相のクロック信号は、並列配設される複数の信号線を介して駆動信号供給手段に転送されるので、駆動信号供給手段の入力容量は、信号線の数ｎ（ｎ＝２、３、４・・・）に応じて１／ｎに減少し、駆動信号の動作時の遅延時間が低減し、動作雰囲気条件の変化による遅延時間のばらつきも減少し、雰囲気温度などが変化しても安定したクロスポイントを確保して、常に、安定した動作条件により、原稿画像に対して高品質の撮像信号を適確且つ迅速に読取り取得することが可能になる。
【００４６】
請求項２記載の発明によると、タイミング信号発生手段の内部バッファを、信号転送手段に入力される複数のクロック信号の入力容量に基づく遅延時間が、互いに等しくなるように選択することによって、駆動信号供給手段に入力するクロック信号のタイミングや位相ずれを最小限に抑えて、請求項１記載の発明で得られる効果をより高精度に実現することが可能になる。
【００４７】
請求項３記載の発明によると、請求項１または請求項２記載の発明で得られる効果に加えて、駆動信号供給手段によって光電変換手段に供給される駆動信号に含まれる第１相転送クロック信号及び第２相転送クロック信号が、同一のパッケージＩＣから光電変換手段にセットで供給されるので、これらのクロック信号のパッケージＩＣ間の特性のばらつきによる遅延差の影響を避けて、クロスポイントを確実に確保し、高品質の撮像信号を取得することが可能になる。
【００４８】
請求項４記載の発明によると、請求項３記載の発明で得られる効果に加えて、駆動信号供給手段によって光電変換手段に供給される駆動信号に含まれる最終段駆動信号、リセット信号及びクランプ信号が、同一のパッケージＩＣから光電変換手段に供給されるので、これらの信号のパッケージＩＣ間の特性のばらつきによる遅延差の影響を避けて、高精度のリセット動作と一定クランプ領域の確保とを実現することが可能になる。
【００４９】
請求項５記載の発明によると、請求項１ないし請求項４の何れかに記載の発明で得られる効果に加えて、光電変換手段が３ラインカラーＣＣＤを含む複数ラインＣＣＤなので、光学系を小型化し、焦点深度を高めることにより、原稿浮きや或る程度の立体配置に対応して、焦点ぼけのない読取りが可能になると共に、信号転送手段によって、全体の構成の複雑化を避け、クロスポイントのばらつき、リセット信号及びクランプ信号のばらつきの絡み合いによる読取画像の品質低下を防止することが可能になる。
【図面の簡単な説明】
【図１】本発明の一実施の形態の全体構成を示すブロック図である。
【図２】同実施の形態の要部の構成を示すブロック図である。
【図３】同実施の形態のＣＣＤ駆動ドライバの構成を示す説明図である。
【図４】同実施の形態のＣＤクロック発生回路のバッフアと遅延時間の関係を示す説明図である。
【図５】本発明の基礎となる画像読取装置の概要構成を示すブロック図である。
【図６】図５の画像表示部の構成を示すブロック図である。
【図７】本発明の基礎となる画像読取装置の外観構成を示す切開説明図である。
【図８】図５の画像表示部の外観構成を示す説明図である。
【図９】本発明の基礎となる画像読取装置のＣＣＤ駆動ドライバの構成を示す説明図である。
【図１０】図５の操作表示部の外観構成を示す説明図である。
【図１１】図５の操作表示部の構成を示すブロック図である。
【図１２】図１０の液晶ディスプレイの表示画面例を示す説明図である。
【図１３】図１０の液晶ディスプレイの他の表示画面例を示す説明図である。
【図１４】図１０の液晶ディスプレイのタッチパネルの押下位置検出回路の構成を示す説明図である
【図１５】図１４の信号設定動作を示す説明図である。
【符号の説明】
１　ＣＰＵ
５　操作表示部
１１　３ラインＣＣＤ
１２　タイミング回路
２２　シェーディング補正回路
２５　ドット補正回路
３２　画像表示部
３３　ＣＣＤ駆動ドライバ
３６　ＣＣＤクロック発生回路
【図１】
2004104723.tif 000003
【図２】
2004104723.tif 000004
【図３】
2004104723.tif 000005
【図４】
2004104723.tif 000006
【図５】
2004104723.tif 000007
【図６】
2004104723.tif 000008
【図７】
2004104723.tif 000009
【図８】
2004104723.tif 000010
【図９】
2004104723.tif 000011
【図１０】
2004104723.tif 000012
【図１１】
2004104723.tif 000013
【図１２】
2004104723.tif 000014
【図１３】
2004104723.tif 000015
【図１４】
2004104723.tif 000016
【図１５】
2004104723.tif 000017